(57)【特許請求の範囲】
【請求項１】
箱形のケース本体と、縦溝を有する左右一対の棚レールと、左右一対の棚アームを備え、前記棚レールを前記ケース本体の内部に立設し、各棚アームの後端部に上下一対のローラを回転可能に組み付けると共に両棚アームを一体に連結し、前記一対のローラを前記棚レールの縦溝に上下方向へ滑動可能に嵌合して前記棚アームを前記レールに片持ち支持すると共に両棚アームで棚板を支持し、前記箱形ケース本体の内部に複数の係合穴を縦に列設したロックプレートを固定し、前記係合穴に係合離脱するストッパーピンを前記棚アームに進退可能に組み付けたことを特徴とする植物栽培用ケース。
【請求項２】
前記棚レールの一面に前記係合穴を形成して前記ロックプレートとしたことを特徴とする請求項１に記載の植物栽培用ケース。
【発明の詳細な説明】
【０００１】
【発明の属する技術分野】
本発明は植物栽培用ケースに関する。
【０００２】
【従来の技術】
植物栽培用ケースの一形式として、アルミフレームを箱形に組立てて全面をガラス張りにしたケース本体の内部に植木鉢やプランターを置く棚板を複数段設けたものが知られている。
この種の植物栽培用ケースでは、棚板を取り付ける４本の縦フレームのそれぞれに一定間隔で掛止穴を複数箇所に設けておき、各縦フレームの同じ高さの穴に止め金を着脱自在に掛止し、棚板の４隅を留め金で支持するように構成している。
【０００３】
【発明が解決しようとする課題】
上記した従来の植物栽培用ケースでは、棚板の高さを調整するとき、一旦棚板をケースの外に取り出して、４個の留め金を縦フレームに掛け直す作業が不可欠であるため、棚板の高さの調整が甚だ面倒である。
本発明はかかる問題点に鑑み、簡単な操作で棚板の高さを調整できる植物栽培用ケースを提供することを目的とする。
【０００４】
【課題を解決するための手段】
請求項１に記載の発明に係る植物栽培用ケースは、箱形のケース本体と、縦溝を有する左右一対の棚レールと、左右一対の棚アームを備え、前記棚レールを前記ケース本体の内部に立設し、各棚アームの後端部に上下一対のローラを回転可能に組み付けると共に両棚アームを一体に連結し、前記一対のローラを前記棚レールの縦溝に上下方向へ滑動可能に嵌合して前記棚アームを前記レールに片持ち支持すると共に両棚アームで棚板を支持し、前記箱形ケース本体の内部に複数の係合穴を縦に列設したロックプレートを固定し、前記係合穴に係合離脱するストッパーピンを前記棚アームに進退可能に組み付けたことを特徴とする
請求項２に記載の発明は請求項１に記載の植物栽培用ケースにおいて、前記棚レールの一面に前記係合穴を形成して前記ロックプレートとしたことを特徴とする。
【０００５】
【発明の作用・効果】
請求項１に記載の発明に係る植物栽培用ケースにおいて、棚板の高さを調節するにはストッパーピンを後退させ、ロックプレートの係合穴から外して、棚アームのロックを解除する。そして、棚アームを棚レールに沿って上下動し、棚アームに支持された棚板の高さを所望の位置まで移動させ、再びストッパーピンを係合穴の一つに係合させる。これにより棚アームがロックされ、棚板が所望の高さに設定される。
しかして本発明によれば、棚板を支持する棚アームをローラーを介して棚レールに滑動可能に片持ち支持したので、一々棚板をケース本体から取り出すことなく、円滑に上下動させて高さを調整できる。
請求項２に記載の発明によれば、係合穴を設けるロックプレートと棚レールを兼用するので、部品点数が少なくなりコストを削減できる。
【０００６】
【発明の実施の形態】
以下に本発明を図面に基づき説明するに、図１〜図３には本発明の一実施形態に係る植物栽培用ケースが示されている。当該植物栽培用ケースは、箱形のケース本体１０とベース部３０を備えている。
【０００７】
箱形のケース本体１０はアルミ製のサイドフレーム１１〜１４、センターフレーム（図示略）、アッパフレーム１５，１６及びロアフレーム１７，１８，１９を箱形に組立てて上端部にトップカバー２０を固定し、正面に２枚の透明ガラス扉２１，２２をヒンジ２３で観音開きに組付け、背面にリアボード（図示略）をはめ込み、左側面に透明ガラス板２４をはめ込み、右側面にはサイドボード２５をはめ込み、下端面を開口して構成されている。
【０００８】
ベース部３０はフロントフレーム３１とサイドフレーム３２，３３及びリアフレーム３４を４角に組み付けて構成されている。図４と図５に示すように、ケース本体１０のロアフレーム１７，１８，１９とベース部３０のサイドフレーム３２，３３及びリアフレーム３４がブラケット４０と蝶ネジ４１で一体に連結されている。
ベース部３０のフロントフレーム３１の上端部内側にはステンレス製の戸当たり４２がネジ４３で固定されている。また、サイドフレーム３２，３３、リアフレーム３４及びフロントフレーム３１の内面には発砲スチロール等の断熱材４４が両面粘着テープで貼着されている。リアフレーム３４とフロントフレーム３１の下端部にはブラケット４５がネジで固定され、該ブラケット４５に脚片４６がボルト４７によって上下位置調節可能に垂設されている。また、このブラケット４５にはキャスター４８も垂設されている。
【０００９】
ベース部３０の内側にはケース本体１０の下端面の開口を覆うようにドレンパン５０が取付けられている。このドレンパン５０は図６に示すように、周縁にフランジ５０ａが形成され、フランジ５０ａの外端部５０ｂは上に折り曲がっている。
このドレンパン５０は図４及び図５に示すように、フランジ５０ａをベース部３０のフロントフレーム３１とリアフレーム３４及び両サイドフレーム３２，３３の上端部に載置し、ネジ５１で各フレームに固定されている。そして、ドレンパン５０の底部裏面には両面粘着テープで断熱材４４が貼着されている。
【００１０】
図４と図５に示すように、ドレンパン５０のフランジ５０ａの折れ曲がった外端部５０ｂはケース本体１０の外周面より外側に位置するように寸法、形状が定められているので、ケース本体１０の外周面とフランジ外端部５０ｂとの間には隙間が形成されている。また、図７に示すように、ベース部３０のフロントフレーム３１に固定した戸当たり４２の中央部と左右両端部にはドレンパン５０のフランジ５０ａと底部との間を連通する隙間Ｓが形成されている。
【００１１】
図１及び図２に示すように、ケース本体１０の内部には上下２段、左右２列に棚６０が設けられている。この棚６０は図８に示すように、左右一対の棚レール６１と棚アーム６２を備えている。棚レール６１は断面形状が略コ字形を有し、内側に縦溝６１ａが形成されている。棚レール６１の正面には等間隔で多数の係合穴６１ｂが縦に列設されている。この棚レール６１は背面をケース本体１０のサイドフレーム１２，１４とセンターフレーム（図示略）にネジで固定すすることによりケース本体１０の内部に縦に取付けられている。
【００１２】
各棚アーム６２の前端部には水平フレーム６３が一体に固着され前方に延びている。また、各棚アーム６２の後端部には上下一対のローラー６４が軸ピン６５で回転可能に組み付けられている。そして、左右の棚アーム６２と水平フレーム６３が前後２本の連結フレーム６６で一体に連結されている。棚板６７はこの水平フレーム６３に載置して支持される。各棚アーム６２のローラー６４は棚レール６１の縦溝６１ａに滑動可能にはめ込まれ、棚アーム６２及びこれと一体の水平アーム６３が棚レール６１に片持ち支持され、かつ棚レール６１に沿って上下動可能に組み付けられている。
【００１３】
各水平フレーム６３の内面にはガイド溝６３ａが設けられ、このガイド溝６３ａに、棚レール６１の嵌合穴６１ｂに先端部が係合する長尺のストッパーピン６８が前後方法に進退可能に組み付けられ、バネ６９で棚レール６１の嵌合穴６１ｂに向けて付勢されている。このストッパーピン６８の水平フレーム６３の前端部から突出する端部は指を掛け易くするためＬ字形に曲げてある。
【００１４】
図２及び図８に示すように、トップカバー２０の内側及び棚６０の水平フレーム６３にはそれぞれ前後６本の育成灯７１〜７６が取付けられている。これらの育成灯７１〜７６は２個のタイマースイッチによって以下のように点灯制御される。
図９に示すように、後側３本の育成灯７１〜７３の点灯時間はタイマースイッチ８１で設定され、前側３本の育成灯７４〜７６の点灯時間はタイマースイッチ８２で設定される。そして、後側３本の育成灯７１〜７３はタイマースイッチ８１で設定した時刻ａから時刻ｃの間点灯する。一方、前側３本の育成灯７４〜７６はタイマースイッチ８２で設定した時刻ｂから時刻ｄの間点灯する。
【００１５】
タイマースイッチ８１，８２で育成灯７１〜７６を点灯制御したときの時刻と照度の関係を図１０に示す。植物は時刻ａから時刻ｂまでは後側３本の育成灯７１〜７３によって照射され、時刻ｂから時刻ｃまでは前後６本の育成灯７１〜７６により照射され、時刻ｃから時刻ｄまでは前側３本の育成灯の光だけで照らされる。このように育成灯の点灯を制御するので、ケース内の植物は、あたかも時刻ａから時刻ｂまでは朝東から登る太陽の光で照らされ、時刻ｂから時刻ｃまでは昼の明るい太陽に照らされ、時刻ｃから時刻ｄの間は西に沈む太陽に照らされるような自然の光環境に近似した環境の中で育成することができる。
【００１６】
本実施形態に係る植物栽培用ケースの構造は以上の通りであって、棚板６７の高さを調節するにはストッパーピン６８のＬ字形端部に指を掛け、バネ６９の力に抗してストッパーピン６８を引き出して、先端部を係合穴６１ｂから外す。これにより棚アーム６２のロックが解除されるので、棚アーム６２を棚レール６１に沿って上下動させる。水平フレーム６３に支持された棚板６７の高さを所望の位置まで移動させた後、ストッパーピンを再び係合穴６１ｂの一つに係合させる。これにより棚アーム６２がロックされ、棚板６７を所望の高さに設定できる。
【００１７】
ケース本体１０の内部に生じた結露はサイドボート２５、リアボード、ガラス面２４等を伝ってドレンパン５０の底部に集まる。また、ケース本体１０の外面に生じた結露は外面を伝って外面とドレンパン５０のフランジ５０ａの外周縁部５０ｂの隙間からフランジ５０ａ上に滴下し、フランジ５０ａを伝って戸当たり３１の隙間Ｓからドレンパン５０の底部に集まる。
【００１８】
以上説明したように、本実施形態に係る植物栽培用ケースは、棚板６７を支持する棚アーム６２をローラー６４を介して棚レール６１に上下動可能に片持ち支持したので、一々棚板６７をケース本体１０から取り出すことなく、簡単に高さを調整できる。
【００１９】
また、ドレンパン５０でケース本体１０の底面開口を覆蓋すると共に、ドレンパン５０の外周縁部分５０ｂをケース本体１０の底面外周部の外側に配置したので、ケース本体１０の内部に生じた結露だけでなく、ケース本体１０の外面に生じた結露もすべてドレンパン５０に集めることができ、結露がケース本体１０を伝って床に滴下するのを防止できる。
さらに、ドレンパン５０をケース本体１０とベース部３０との間に介在させることにより植物栽培用ケースに組み込んだので、受け皿のようにケースの置き場所を変える度に設置し直す必要はない。
【００２０】
なお、本実施形態に係る植物栽培用ケースでは左右の棚レール６１の正面にストッパーピン６８の係合する穴６１ｂを列設したが、棚レール６１とは別に係合穴を列設した一枚のロックプレートを用意し、このロックプレートを棚６０の中央部に位置するようにケース本体１０に固定し、１本のストッパーピンを棚の中央部に配置すれば、棚アームのロック機構を簡素化できる。
【図面の簡単な説明】
【図１】本発明の一実施形態に係る植物栽培用ケースを示す正面図である。
【図２】同植物栽培用ケースを示す左側面図である。
【図３】同植物栽培用ケースを示す右側面図である。
【図４】図１の４−４から切断した断面図である。
【図５】図２の５−５線から切断した断面図である。
【図６】ドレンパンを示す斜視図である。。
【図７】図１の矢印７方向から見た端面図である。
【図８】棚を示す斜視図である。
【図９】タイマースイッチと育成灯の関連を示す説明図である。
【図１０】育成灯の点灯時刻と照度の関係を示すグラフである。
【符号の説明】
１０…ケース本体、３０…ベース部、５０…ドレンパン、６０…棚、６１…棚レール、６１ａ…縦溝、６１ｂ…係合穴、６２…棚アーム、６４…ローラー、６７…棚板、６８…ストッパーピン、６９…バネ
【図１】
0003641586.tif 000002
【図２】
0003641586.tif 000003
【図３】
0003641586.tif 000004
【図４】
0003641586.tif 000005
【図５】
0003641586.tif 000006
【図６】
0003641586.tif 000007
【図７】
0003641586.tif 000008
【図８】
0003641586.tif 000009
【図９】
0003641586.tif 000010
【図１０】
0003641586.tif 000011